【手続補正書】
【提出日】平成16年3月29日(2004.3.29)
【手続補正１】
【補正対象書類名】明細書
【補正対象項目名】請求項１
【補正方法】変更
【補正の内容】
【請求項１】
赤外線を検出する赤外線検出手段と、
前記赤外線検出手段又はその近傍の温度を測定する赤外線検出部温度測定手段と、
熱的環境の異なる部位の温度を測定する少なくとも２つの温度測定手段と、
前記温度測定手段によって測定された温度に基づいて、体温計の本体、及び、該体温計が置かれた環境、の少なくともいずれかの温度状態を推定する温度状態推定手段と、
前記赤外線検出手段によって検出される赤外線量と、前記赤外線検出部温度測定手段によって測定された温度と、前記温度状態推定手段によって推定された温度状態とに基づいて被測定者の体温を推定する体温推定手段と、
を備えた赤外線体温計。
【手続補正２】
【補正対象書類名】明細書
【補正対象項目名】０００６
【補正方法】変更
【補正の内容】
【０００６】
【課題を解決するための手段】
上記目的を達成するために、本発明は、赤外線を検出する赤外線検出手段と、前記赤外線検出手段又はその近傍の温度を測定する赤外線検出部温度測定手段と、熱的環境の異なる部位の温度を測定する少なくとも２つの温度測定手段と、前記温度測定手段によって測定された温度に基づいて、体温計の本体、及び、該体温計が置かれた環境、の少なくともいずれかの温度状態を推定する温度状態推定手段と、前記赤外線検出手段によって検出される赤外線量と、前記赤外線検出部温度測定手段によって測定された温度と、前記温度状態推定手段によって推定された温度状態とに基づいて被測定者の体温を推定する体温推定手段と、を備えた赤外線体温計である。


【手続補正３】
【補正対象書類名】明細書
【補正対象項目名】００１０
【補正方法】変更
【補正の内容】
【００１０】
このように環境温度の変化に対して単調に変化する環境温度変化指標としては、例えば、温度計が置かれた環境の影響を受けやすい第１の部位の温度の変化速度と、温度計本体内部のいずれかの部位（内部を代表するような部位でもよい）である第２の部位の温度と前記第１の部位の温度との差を変数とする一次式のような関数がある。


【手続補正４】
【補正対象書類名】明細書
【補正対象項目名】００１４
【補正方法】変更
【補正の内容】
【００１４】
測定された温度の変化パターンとしては、例えば、温度計が置かれた環境の影響を受けやすい第１の部位の温度の変化速度の正又は負の符号（０を含む）と、温度計本体内部のいずれかの部位（内部を代表するような部位でもよい）である第２の部位の温度と前記第１の部位の温度との差の正又は負の符号（０を含む）との組合せがあるが、これに限られない。


【手続補正５】
【補正対象書類名】明細書
【補正対象項目名】００５２
【補正方法】変更
【補正の内容】
【００５２】
まず、体温計１０の電源スイッチがオンされると、メモリ（図示せず）のクリアやＬＣＤ９の表示動作チェック等の初期化処理を行う（ステップ１）。ここでは、初期化処理が終了すると直ちに第１温度センサ２と第２温度センサ３の出力のＡ／Ｄ変換処理を開始する。


【手続補正６】
【補正対象書類名】明細書
【補正対象項目名】００６１
【補正方法】変更
【補正の内容】
【００６１】
まず、「Ｔ２の変化」が＋（増加する）であり、かつ、「Ｔ２−Ｔ３の大きさ」が＋（Ｔ２＞Ｔ３）の場合（この状態を「状態１」と称する。）には、体温計は加熱されており、かつ、本体内部よりも先端部の温度が高く、環境温度も変化している（ここで、＋には０の場合も含むものとする。以下も同様である。）。すなわち、体温計の環境条件は低温の環境下から高温の環境下に移った状態にあり、測定のために体温計を耳に挿入した場合もこの状態に含まれる。この場合には、状態１に対応する判定条件の設定を行う（ステップ７）。ここでは、図５のグラフを用いて説明すると、推定誤差の許容範囲を定める判定値のレベルを下げる（例えば、０．２℃の判定値を０．１℃に変更する）設定を行う。変更された判定値に基づいて、誤差が０．１℃以下か否かを再度判定する（ステップ８）。ステップ８の判定において、誤差が０．１℃以下であれば、体温計を状態１に対応した設定とする（ステップ９）。すなわち、体温算出のためのパラメータを設定変更し（例えば、オフセット値を０．１℃上げる。）、ステップ４の測定待機状態へ進む。ステップ８の判定において、誤差が０．１℃を超える場合には、環境異常状態であるとして、ＬＣＤに「ＡＡＡ」と表示してその旨を使用者に報知し（ステップ１０）、ステップ２の環境計測処理に戻る。


【手続補正７】
【補正対象書類名】明細書
【補正対象項目名】００６３
【補正方法】変更
【補正の内容】
【００６３】
次に、ステップ６において、「Ｔ２の変化」が−（減少する）であり、かつ、「Ｔ２−Ｔ３の大きさ」が＋（Ｔ２＞Ｔ３）の場合（この状態を「状態３」と称する。）には、体温計は冷却されているにもかかわらず、本体内部より先端部の温度が高い状態である。このような状態は、例えば、耳から取り出された使用直後の体温計を、再測定を行うために耳に挿入した状態に相当する。この場合には、状態３に対応する判定条件の設定を行う（ステップ１４）。ここでは、図５のグラフの推定誤差の許容範囲を定める判定値のレベルを上げる（例えば、０．２℃の判定値を０．３℃に変更する）設定を行う。判定値をこのように設定するのは、再測定時には先端が暖まっているので、パラメータの変化が大きくても推定誤差は小さいためである。変更された判定値に基づいて、誤差が０．３℃以下か否かを再度判定する（ステップ１５）。ステップ１５の判定において、誤差が０．３℃以下であれば、体温計を状態３に対応した設定とする（ステップ１６）。すなわち、体温算出のためのパラメータを設定変更し（例えば、オフセット値を０．１℃上げる。）、ステップ４の測定待機状態へ進む。ステップ１５の判定において、誤差が０．３℃を超える場合には、ステップ１０に進み、環境異常状態であるとして、ＬＣＤに「ＡＡＡ」と表示してその旨を使用者に報知し、ステップ２の環境計測処理に戻る。このように、環境状態特徴抽出処理において、使用者が体温計を使用した直後の状態に対応する温度状態にある場合を、他の環境温度変化による温度状態と識別し、判定値のレベルを変更することにより、従来はエラーとして処理されていた場合を、通常の体温測定処理手順に含めることができる。従って、集団検診のように短い時間間隔で体温測定を繰り返す場合にも適用でき、正確な体温測定が可能となる。


【手続補正８】
【補正対象書類名】明細書
【補正対象項目名】００６８
【補正方法】変更
【補正の内容】
【００６８】
ステップ１９の判定において、「Ｔ２の変化」が−かつ「Ｔ２−Ｔ３の大きさ」が＋の状態であると判定された場合には、移動条件が不成立、すなわち、環境は変わっていないので、Ｔ２が３４℃を超えたか否かにより、体温計の耳挿入検出の有無を判定する（ステップ２０）。体温計の耳挿入検出が無ければ、ステップ１７の環境計測処理に戻り、体温計の耳挿入検出があれば、測定が開始される（ステップ２１）。


【手続補正９】
【補正対象書類名】明細書
【補正対象項目名】００８８
【補正方法】変更
【補正の内容】
【００８８】
上述したように、本実施形態では、電源投入後、体温測定が行われるまでの間に環境異常判定及び環境状態特徴抽出処理を行っている。温度センサの測定値に基づく温度状態の推定は、このようなタイミング以外でも当然行うことができるが、使用者による測定動作前であれば、熱源との接触の態様も比較的限定されているので、複雑な処理を行わずに精度良く温度状態を推定することができる。


【手続補正１０】
【補正対象書類名】明細書
【補正対象項目名】００９３
【補正方法】変更
【補正の内容】
【００９３】
次に、環境計測処理結果に基づいて誤差レベルの分岐判定処理を行う（ステップ３３）。


【手続補正１１】
【補正対象書類名】明細書
【補正対象項目名】００９４
【補正方法】変更
【補正の内容】
【００９４】
ここでは、第１の実施形態において説明した環境温度変化パラメータによって表される誤差に基づいて、誤差レベルの分岐判定を行う。


【手続補正１２】
【補正対象書類名】明細書
【補正対象項目名】０１０２
【補正方法】変更
【補正の内容】
【０１０２】
電源オンから、測定待機状態に至るまでの処理は図４に示す第１の実施形態の処理と同様であるので、説明を省略する。また、測定待機状態から測定開始までの処理についても図１１に示す第１の実施形態の処理とほぼ同様であるので、同様の処理については、同様の符号を用いて説明を省略し、異なる処理についてのみ説明する。


【手続補正１３】
【補正対象書類名】明細書
【補正対象項目名】０１０３
【補正方法】変更
【補正の内容】
【０１０３】
本実施形態では、環境移動判定（ステップ２２）において、図５のグラフに示す曲線において、たて軸にとられた環境温度変化パラメータが、デフォルトの判定値（例えば０．２℃）を超えている場合には、ＯＫ（環境異常あり）として、電源を自動的にオフする。


【手続補正１４】
【補正対象書類名】図面
【補正対象項目名】図３
【補正方法】変更
【補正の内容】
【図３】
2003052644.tif 000001
【手続補正１５】
【補正対象書類名】図面
【補正対象項目名】図１９
【補正方法】変更
【補正の内容】
【図１９】
2003052644.tif 000002